(57)【要約】【課題】メダルの補給に手間がかからず、選別していないメダルを補給しても適切に処理できるメダル払出機を提供する。【解決手段】メダル投出部33がメダルを貯留し、１枚ずつ投出する。メダル投出部33から投出されたメダルを識別部39で識別する。振分手段44が識別後のメダルを行先別に振り分ける。振分手段44によって振り分けるメダルの行先の１つに、メダルが払い出される払出部25がある。識別部39によるメダルの識別結果に応じた行先にメダルを振り分けるように振分手段44を制御する。【選択図】図１
2014180443.tif 000002
【特許請求の範囲】
【請求項１】
メダルを貯留し、１枚ずつ投出するメダル投出部と、
このメダル投出部から投出されたメダルを識別する識別部と、
識別後のメダルを行先別に振り分ける振分手段と、
前記振分手段によって振り分けるメダルの行先の１つであってメダルが払い出される払出部と、
前記識別部によるメダルの識別結果に応じた行先にメダルを振り分けるように前記振分手段を制御する制御部と
を具備していることを特徴とするメダル払出機。
【請求項２】
前記制御部は、自己で取り扱うメダルの種類を記憶し、前記識別部によるメダルの識別結果に応じて自己で取り扱う種類のメダルを前記払出部に振り分けるように前記振分手段を制御する
ことを特徴とする請求項１記載のメダル払出機。
【請求項３】
前記振分手段と前記払出部との間に設けられ、所定枚数のメダルを一時保留する一時保留部を具備し、
前記制御部は、メダル払出時に前記一時保留部に一時保留されている所定枚数のメダルを前記払出部に払い出させる
ことを特徴とする請求項１または２記載のメダル払出機。
【請求項４】
前記制御部は、遊技機からメダル補給信号を入力すると、前記識別部による識別結果に応じて前記遊技機に補給するメダルを前記遊技機側となる行先に振り分けるように前記振分手段を制御する
ことを特徴とする請求項１ないし３いずれか一記載のメダル払出機。
【請求項５】
メダルを貯留し、１枚ずつ投出するメダル投出部と、
このメダル投出部から投出されたメダルを識別する識別部と、
識別後のメダルを行先別に振り分ける振分手段と、
前記識別部によるメダルの識別結果に応じた行先にメダルを振り分けるように前記振分手段を制御する制御部と
を具備していることを特徴とするメダル処理装置。
【発明の詳細な説明】
【技術分野】
【０００１】
本発明は、メダルを処理するメダル払出機およびメダル処理装置に関する。
【背景技術】
【０００２】
従来、遊技店においては、例えばスロットマシンなどのメダルを使用して遊技する遊技機が設置されているとともに、メダルを貸し出すためのメダル払出機が設置されている。
【０００３】
メダル払出機は、貨幣などの有価価値を受け付け、メダルを貯留しているメダル投出部から所定枚数のメダルを投出し、払出口に払い出している。
【０００４】
このようなメダル払出機では、メダル投出部にメダルを自動補給する際、他店のメダルなどの異種メダルを選別して取り除いた後、メダル投出部に補給することにより、メダル投出部から異種メダルを払い出すのを防止するようにしている（例えば、特許文献１参照。）。
【先行技術文献】
【特許文献】
【０００５】
【特許文献１】特開２００８−１８１５１号公報
【発明の概要】
【発明が解決しようとする課題】
【０００６】
しかしながら、メダル投出部にメダルを自動補給する場合には異種メダルを取り除くことができるが、メダル投出部にメダルを手動補給するような場合には、人手で多数のメダルの中から異種メダルを選別して取り除く必要があり、手間がかかる問題がある。
【０００７】
また、選別して異種メダルを取り除いたメダルを補給した場合でも、異種メダルの取り残しがあると、異種メダルを払い出してしまう問題がある。
【０００８】
本発明は、このような点に鑑みなされたもので、メダルの補給に手間がかからず、選別していないメダルを補給しても適切に処理できるメダル払出機およびメダル処理装置を提供することを目的とする。
【課題を解決するための手段】
【０００９】
請求項１記載のメダル払出機は、メダルを貯留し、１枚ずつ投出するメダル投出部と、このメダル投出部から投出されたメダルを識別する識別部と、識別後のメダルを行先別に振り分ける振分手段と、前記振分手段によって振り分けるメダルの行先の１つであってメダルが払い出される払出部と、前記識別部によるメダルの識別結果に応じた行先にメダルを振り分けるように前記振分手段を制御する制御部とを具備しているものである。
【００１０】
請求項２記載のメダル払出機は、請求項１記載のメダル払出機において、前記制御部は、自己で取り扱うメダルの種類を記憶し、前記識別部によるメダルの識別結果に応じて自己で取り扱う種類のメダルを前記払出部に振り分けるように前記振分手段を制御するものである。
【００１１】
請求項３記載のメダル払出機は、請求項１または２記載のメダル払出機において、前記振分手段と前記払出部との間に設けられ、所定枚数のメダルを一時保留する一時保留部を具備し、前記制御部は、メダル払出時に前記一時保留部に一時保留されている所定枚数のメダルを前記払出部に払い出させるものである。
【００１２】
請求項４記載のメダル払出機は、請求項１ないし３いずれか一記載のメダル払出機において、前記制御部は、遊技機からメダル補給信号を入力すると、前記識別部による識別結果に応じて前記遊技機に補給するメダルを前記遊技機側となる行先に振り分けるように前記振分手段を制御するものである。
【００１３】
請求項５記載のメダル処理装置は、メダルを貯留し、１枚ずつ投出するメダル投出部と、このメダル投出部から投出されたメダルを識別する識別部と、識別後のメダルを行先別に振り分ける振分手段と、前記識別部によるメダルの識別結果に応じた行先にメダルを振り分けるように前記振分手段を制御する制御部とを具備しているものである。
【発明の効果】
【００１４】
請求項１記載のメダル払出機によれば、メダル投出部から投出したメダルについて、識別し、その識別結果に応じた行先に振り分けるため、メダル投出部に補給するメダルを予め選別する必要がなくてメダルの補給に手間がかからず、選別していないメダルを補給しても適切に処理でき、所定のメダルを払出部に払い出すことができる。
【００１５】
請求項２記載のメダル払出機によれば、請求項１記載のメダル払出機の効果に加えて、メダルの識別結果に応じて自己で取り扱う種類のメダルを払出部に振り分けるため、取扱種類のメダルのみを払い出すことができる。
【００１６】
請求項３記載のメダル払出機によれば、請求項１または２記載のメダル払出機の効果に加えて、払出部側に振り分けられた所定枚数のメダルを一括して一時保留しておくことにより、メダル払出時に所定枚数のメダルを一括して払出部に払い出すことができ、所定枚数のメダルの払い出しを迅速に行うことができる。
【００１７】
請求項４記載のメダル払出機によれば、請求項１ないし３いずれか一記載のメダル払出機の効果に加えて、遊技機からメダル補給信号を入力すると、メダルの識別結果に応じて遊技機に補給するメダルを遊技機側となる行先に振り分けるため、選別したメダルを遊技機に補給できる。
【００１８】
請求項５記載のメダル処理装置によれば、メダル投出部から投出したメダルについて、識別し、その識別結果に応じた行先に振り分けるため、メダル投出部に補給するメダルを予め選別する必要がなくてメダルの補給に手間がかからず、予め選別していないメダルを補給しても適切に処理できる。
【図面の簡単な説明】
【００１９】
【図１】本発明の一実施の形態を示すメダル払出機の断面図である。
【図２】同上メダル払出機の正面図である。
【図３】同上メダル払出機を設置する遊技島の斜視図である。
【図４】同上遊技島の構成図である。
【発明を実施するための形態】
【００２０】
以下、本発明の一実施の形態を、図面を参照して説明する。
【００２１】
図３には、遊技店に設置される複数の遊技島10を示す。各遊技島10の両側に、メダルを用いて遊技する複数の遊技機11が設置されているとともに、これら遊技機11間にメダルを貸し出す複数のメダル払出機12が設置されている。
【００２２】
各遊技島10の島端には遊技機11およびメダル払出機12にメダルを補給するメダル補給装置13がそれぞれ設置され、さらに、いくつかの遊技島10の島端には賞メダルを受け入れて計数するメダル計数機14が設置されている。メダル計数機14に受け入れて計数したメダルはメダル補給装置13に回収される。
【００２３】
各遊技島10のメダル補給装置13は、コンベヤ15によって互いにメダルを搬送可能とし、各遊技島10でのメダルの保有量を均等化するように構成されている。
【００２４】
各遊技島10内には、遊技島10の長手方向に沿ってメダル補給ライン16およびメダル回収ライン17が設置されている（図１参照）。メダル補給ライン16は、メダル補給装置13から送り出される補給用のメダルを受け入れて遊技島10の長手方向に沿って搬送し、補給を必要とする各遊技機11および各メダル払出機12にメダルを補給する。メダル回収ライン17は、各遊技機11および各メダル払出機12から送り出される回収用のメダルを受け入れ、遊技島10の長手方向に沿って搬送してメダル補給装置13に回収する。
【００２５】
また、遊技機11は、例えばスロットマシンであり、メダルを用いて遊技する。遊技機11内には、遊技客に賞メダルを払い出すメダル処理装置が設置されている。メダル処理装置は、例えばメダル払出機12内に設置される後述するメダル処理装置と同様に構成されている。
【００２６】
図１および図２に示すように、メダル払出機12は、遊技島10に設置される取付フレームに対して引出可能に取り付けられる縦長の本体20を有している。本体20の前面には、上部から順に、紙幣を挿入する紙幣挿入口21、情報を表示する表示部22、メダル補給口23を開閉するメダル補給扉24、メダルを遊技客に払い出す払出部25が配設されている。
【００２７】
表示部22は、挿入された紙幣額に応じた度数表示、メダル貸出動作に伴う動作表示、エラー表示などの情報を表示する。
【００２８】
メダル補給扉24は、下部側を支点として開閉可能とし、店員が保有する鍵で本体20に対して施解錠する錠機構26を備えている。
【００２９】
払出部25には、内部からメダルが払い出されるメダル払出口27、および払い出されたメダルを受け入れる受皿28が配設されている。
【００３０】
また、メダル払出機12の内部には、上部に紙幣を処理する紙幣処理装置29が配設され、この紙幣処理装置29より下側にメダルを処理するメダル処理装置30が設置されている。
【００３１】
紙幣処理装置29は、紙幣挿入口21から挿入された紙幣を識別し、処理対象とする金種の紙幣を受け入れ、処理対象外の金種や識別不能な紙幣を紙幣挿入口21から返却する。
【００３２】
メダル処理装置30は、メダルを貯留し、１枚ずつ投出するメダル投出部33を備えている。このメダル投出部33は、複数枚のメダルを貯留するメダル貯留部34、およびこのメダル貯留部34に貯留されているメダルを１枚ずつ投出するメダル投出手段としてのメダル投出ユニット35を備えている。
【００３３】
メダル貯留部34はメダルを貯留してメダル投出ユニット35に導くホッパ36を有し、メダル貯留部34の上部前面側にはメダル補給口23が連通され、メダル貯留部34の上部背面側にはメダル補給ライン16が連通されている。
【００３４】
メダル投出ユニット35は、ホッパ36の底部に回転可能に配設された回転円盤37を有し、この回転円盤37を回転駆動することによりメダルが１枚ずつ投出通路38に投出される。
【００３５】
投出通路38にはメダルを識別する識別部39が配設されている。識別部39は、メダル直径、厚み、材質、表裏面の模様、色などを含む識別条件に基づいて、メダルの真偽、種類を識別する。メダルの種類には、例えば、２０円／枚、１０円／枚、５円／枚などのメダルの貸出単価が異なる種類が含まれる。貸出単位が異なるメダルは、種類に応じて色などが異なり、識別部39で識別可能とする。
【００３６】
投出通路38の搬送方向下流側には振分通路40が設けられている。この振分通路40には、メダルの行先別にリジェクト通路41、払出通路42および補給通路43が振分通路40に沿って順に接続されているとともに、振分通路40からリジェクト通路41、払出通路42および補給通路43のそれぞれにメダルを振り分ける振分手段44が設けられている。
【００３７】
振分手段44は、振分通路40とリジェクト通路41との間に配置された振分部材45、振分通路40と払出通路42との間に配置された振分部材46を備えている。振分部材45は、ソレノイドなどの電気的駆動手段による駆動によってリジェクト通路41の入口を開閉し、リジェクト通路41の入口を塞ぐ状態でメダルが下流側に通過し、リジェクト通路41の入口を開放する状態でメダルがリジェクト通路41に振り分けられる。振分部材46は、ソレノイドなどの電気的駆動手段による駆動によって払出通路42の入口を開閉し、払出通路42の入口を塞ぐ状態でメダルが通過して補給通路43に振り分けられ、払出通路42の入口を開放する状態でメダルが払出通路42に振り分けられる。
【００３８】
リジェクト通路41は、振分通路40から振り分けられたメダルを自重によって本体20の背面に設けられた排出口47に導くシュートによって構成されている。排出口47はメダル回収ライン17のコンベヤ15の上方に配置されており、排出口47から排出されるメダルがメダル回収ライン17に受け渡す。なお、リジェクト通路41の途中には、識別不能なメダルなどをリジェクト通路41から分岐してリジェクトボックス48に振り分ける図示しない振分部材が設置されている。リジェクトボックス48は、本体20内から取り出し可能とする。
【００３９】
払出通路42は、振分通路40から振り分けられたメダルを自重によって払出部25に導くシュートによって構成されている。振分手段44と払出部25との間であって払出通路42の途中には、所定枚数のメダルを一時保留する一時保留部49が設けられている。この一時保留部49は、払出通路42内を開閉する保留部材50を有し、保留部材50で払出通路42を塞ぐ状態で払出通路42内の一時保留部49に所定枚数のメダルを一時保留し、保留部材50が払出通路42を開放することによりメダルを払出部25に放出する。
【００４０】
補給通路43は、一端が振分通路40の末端に接続され、他端が遊技機11のメダル処理装置に接続され、メダル送り機構によって振分通路40から受け入れたメダルを遊技機11のメダル処理装置に送り込んで補給する。
【００４１】
また、メダル払出機12内には、このメダル払出機12を制御する制御部53が配設されている。制御部53は、識別部39によるメダルの識別結果に応じた行先にメダルを振り分けるように振分手段44を制御する。例えば、自己で取り扱うメダルの種類を記憶し、識別部39によるメダルの識別結果に応じて自己で取り扱う種類のメダルを払出部25に振り分けるように振分手段44を制御する。また、メダル払出時に、一時保留部49に予め一時保留されている所定枚数のメダルを払出部25に払い出させるように一時保留部49を制御する。また、遊技機11からメダル補給信号を入力すると、識別部39による識別結果に応じて遊技機11に補給するメダルを遊技機11側となる行先に振り分けるように振分手段44を制御する。
【００４２】
次に、メダル払出機12の動作を説明する。
【００４３】
メダル払出機12へのメダルの補給は、店員がメダル補給扉24を解錠して開き、補給用のメダルをメダル補給口23から投入し、メダル貯留部34にメダルを補給する。係員が手動で補給する補給用のメダルは、遊技機11で使用する種類のメダルのみを選別した選別済みのメダルでもよいし、選別していないメダルでもよい。
【００４４】
あるいは、メダル補給装置13から送り出される補給用のメダルをメダル補給ライン16で搬送し、メダル補給ライン16からメダル払出機12のメダル貯留部34に自動補給する。
【００４５】
例えば、図４に示すように、遊技島10間の通路別に、異なる貸出単価（例えば２０円／枚と１０円／枚）のメダルを使用する区画としている場合、区画毎に定められ貸出単価のメダルをメダル払出機12から払い出し、そのメダル用いて遊技機11で遊技可能とする。この場合、１つの遊技島10の両側面の遊技機11で異なる貸出単価のメダルを使用することになるため、メダル補給装置13が異なる貸出単価のメダルを混在して保有し、その混在状態のメダルをメダル補給ライン16によって遊技島10の両側面に設置されている各メダル払出機12に補給することになる。
【００４６】
なお、以下、メダル払出機12が払い出すべき貸出単価と一致する貸出単価のメダルを該当するメダルと呼び、異なる貸出単価のメダルや他店のメダルあるいは識別不能なメダルなどを該当しないメダルと呼ぶ。
【００４７】
遊技客によって紙幣挿入口21に挿入された紙幣を紙幣処理装置29で識別して受け付けると、メダル投出部33のメダル投出ユニット35によってメダルの投出を開始する。メダル投出部33から投出したメダルを識別部39で識別し、該当するメダルか該当しないメダルかを判定する。
【００４８】
識別の結果、該当するメダルであると判定すると、振分部材46で払出通路42の入口を開放し、該当するメダルを、払出通路42に振り分け、払出通路42から払出部25に払い出す。
【００４９】
識別の結果、該当しないメダルであると判定すると、振分部材45でリジェクト通路41の入口を開放し、該当しないメダルを、リジェクト通路41に振り分ける。該当しないメダルでも、異なる貸出単価のメダルであれば、リジェクト通路41からメダル回収ライン17に放出し、メダル回収ライン17によってメダル補給装置13に送り込んで回収する。また、該当しないメダルでも、他店のメダルあるいは識別不能なメダルであれば、リジェクト通路41の途中で分岐し、リジェクトボックス48に収納する。
【００５０】
そして、識別部39で所定の貸出枚数分の該当するメダルを識別すると、メダル投出部33からのメダルの投出を停止し、貸出枚数分の該当するメダルを払出部25に払い出す。
【００５１】
遊技客は、払出部25に払い出された該当するメダルを取り出し、該当するメダルを使用する遊技機11で遊技することができる。
【００５２】
ここでは、該当するメダルを払出部25に１枚ずつ払い出したが、一時保留部49を利用することで、貸出枚数分のメダルを払出部25に一括して払い出すこともできる。この場合には、保留部材50で払出通路42を塞いだ状態で、上述のようにメダル投出部33からメダルを投出し、払出通路42に振り分けられる該当するメダルを保留部材50で停止させるようにして、貸出枚数分のメダルを一時保留部49に保留する。このメダルの保留処理は、メダル払出時以外の待機時などに予め行っておく。そして、メダル払出時には、紙幣を受け付けると、保留部材50を開放し、保留しておいた貸出枚数分のメダルを一括して払出部25に払い出す。なお、例えば、貸出単価が２０円／枚の場合には貸出枚数は５０枚（１０００円分）、貸出単価が１０円／枚の場合には貸出枚数は１００枚（１０００円分）となる。
【００５３】
また、メダル払出機12に遊技機11からのメダル補給信号が入力すると、メダル投出部33のメダル投出ユニット35によってメダルの投出を開始する。メダル投出部33から投出したメダルを識別部39で識別し、該当するメダルか該当しないメダルかを判定する。
【００５４】
識別の結果、該当するメダルであると判定すると、該当するメダルを、振分部材45，46の位置を通過させて補給通路43に送り込み、補給通路43によって遊技機11のメダル処理装置に補給する。
【００５５】
識別の結果、該当しないメダルであると判定すると、振分部材45でリジェクト通路41の入口を開放し、該当しないメダルを、リジェクト通路41に振り分ける。該当しないメダルでも、異なる貸出単価のメダルであれば、リジェクト通路41からメダル回収ライン17に放出し、メダル回収ライン17によってメダル補給装置13に送り込んで回収する。また、該当しないメダルでも、他店のメダルあるいは識別不能なメダルであれば、リジェクト通路41の途中で分岐し、リジェクトボックス48に収納する。
【００５６】
そして、遊技機11からのメダル補給信号が停止すると、メダル投出部33からのメダルの投出を停止する。
【００５７】
このように構成されたメダル払出機12によれば、メダル投出部33から投出したメダルについて、識別し、その識別結果に応じた行先に振り分けるため、メダル投出部33に補給するメダルを予め選別する必要がなくてメダルの補給に手間がかからず、選別していないメダルを補給しても適切に処理でき、該当するメダルを払出部25に払い出すことができる。
【００５８】
さらに、メダルの識別結果に応じて自己で取り扱う種類のメダルを払出部25に振り分けるため、取扱種類のメダルのみを払い出すことができる。
【００５９】
また、払出部25側に振り分けられた貸出枚数分のメダルを一括して一時保留しておくことにより、メダル払出時に貸出枚数分のメダルを一括して払出部25に払い出すことでき、貸出枚数分のメダルの払い出しを迅速に行うことができる。この場合、次の保留メダルの払出タイミングは、例えば、払出完了後で保留部材50が閉塞位置になったことを確認した後とかである。
【００６０】
また、遊技機11からメダル補給信号を入力すると、メダルの識別結果に応じて遊技機11に補給するメダルを遊技機11側となる行先に振り分けるため、選別した該当するメダルを遊技機11に補給できる。遊技機11に補給するメダルを全てメダル払出機12からとすることにより、遊技機11では、メダルを選別するための特別な選別手段が必要なく、該当するメダルを賞メダルとして払い出すことができる。
【００６１】
なお、メダル払出機12からのメダルの貸出処理は、紙幣の受け付けに限らず、硬貨やプリペイドカードなどの有価価値を受け付けて処理するようにしてもよい。さらに、遊技店の会員カードを発行した会員により獲得されたメダルを会員カードに対応付けて預かる貯メダルのサービスに対応して、会員カードの読み取りおよび暗証番号の入力により貯メダルされている分のメダルを払出処理するようにしてもよい。
【００６２】
また、店員によりメダルを計数して回収したい場合などに対応して、メダル払出機12がメダル補給口23などから投入されたメダルを計数する機能を備えていてもよい。この場合、投入されたメダルをメダル投出部33から投出して識別部39で識別し、遊技店で使用しているメダルの場合には、カウントするとともに、リジェクト通路41を通じてメダル回収ライン17に送り込んで回収し、また、遊技店で使用していないメダルの場合にはリジェクトボックス48または払出部25に払い出して返却すればよい。なお、メダル払出機12の前面に、返却するメダルを払い出す返却部を設けてもよい。
【００６３】
また、メダル払出機12のメダル処理装置30の構成は、遊技機11が備えるメダル処理装置に適用することができ、同様の作用効果が得られる。
【００６４】
また、メダル払出機12から遊技機11へメダルを補給する場合、当該メダル払出機12に設定されている「該当するメダル」ではなく、遊技機11が補給を希望しているメダルを補給するようにしてもよい。具体的には、当該メダル払出機12は２０円貸しであるが、同島で反対側の遊技機11が１０円貸しであり、その１０円貸しの遊技機11へ補給する場合は１０円メダルを「該当するメダル」として補給してもよい。
【００６５】
また、メダル払出機12が各遊技機11に対応するのではなく島端などに設置され、遊技客が希望するメダルを払い出す場合、予め正規のメダルを設定するのではなく、遊技客が選択した貸出レートのメダルを払出対象（いわゆる「該当メダル」）としてもよい。
【符号の説明】
【００６６】
11    遊技機
12    メダル払出機
25    払出部
30    メダル処理装置
33    メダル投出部
39    識別部
44    振分手段
49    一時保留部
53    制御部
【図１】
2014180443.tif 000003
【図２】
2014180443.tif 000004
【図３】
2014180443.tif 000005
【図４】
2014180443.tif 000006